(57)【要約】【課題】撮像装置本体の小型、薄型化を実現するために、外部記録媒体用スロットと電池を厚み方向で隣接させた際に、電池挿入時のガタつきを低減し、電気導通が瞬間的に断絶しない撮像装置を提供すること。【解決手段】着脱可能な電源供給手段（１６）を収納可能な電源収納手段（１５）と、着脱可能な電子データを保存する記憶メモリを収納するメモリスロット（１２）を有し、前記電源収納手段（１５）と前記メモリスロット（１２）は所定の空間（１７ｂ）を有して、厚み方向に隣接して配置されたものにおいて、前記電源収納手段（１５）は前記所定の空間（１７ｂ）に、前記電源供給手段（１６）に当接する電源片寄せ手段（１５ｄ）を先端に設けた突起形状（１５ｃ）を有すること特徴とする。【選択図】  図１（ｇ）
2015184504.tif 000002
【特許請求の範囲】
【請求項１】
着脱可能な電源供給手段（１６）を収納可能な電源収納手段（１５）と、
着脱可能な電子データを保存する記憶メモリを収納するメモリスロット（１２）を有し、
前記電源収納手段（１５）と前記メモリスロット（１２）は所定の空間（１７ｂ）を有して、厚み方向に隣接して配置されたものにおいて、
前記電源収納手段（１５）は前記所定の空間（１７ｂ）に、前記電源供給手段（１６）に当接する電源片寄せ手段（１５ｄ）を先端に設けた突起形状（１５ｃ）を有することを特徴とする電子機器。
【請求項２】
前記電源片寄せ手段（１５ｄ）は前記電源供給手段（１６）の挿入方向の座標軸Ｙ方向の熱膨張範囲外の非膨張部（１６ｃ）と当接するように設けられたことを特徴とする請求項１に記載の電子機器。
【発明の詳細な説明】
【技術分野】
【０００１】
本発明は、画像を撮影する画像撮像装置において小型、薄型化を実現するため、着脱可能な外部記録媒体、及び電池を隣接して構成する電子機器に係り、特に電池の保持機構を有する電子機器に関するものである。
【背景技術】
【０００２】
従来、デジタルスチルカメラのような撮像装置には、光学系を有する鏡筒と、着脱可能な外部記録媒体、及び電池を有している。撮像装置に使用される電池は、リチウム電池の様な充電することで繰り返し使用できるものが多く採用されている。この電池は充放電を繰り返していくと熱膨張することが知られている。そのため、電池を挿入する電池室には熱膨張分を想定した空間が設けられ、電池のガタつきが発生し易くなっている。ガタつきがあると、電池の端子部と電池接片部との接圧を不安定にしてしまうことがある。例えば、落下等の衝撃が加わった場合に、電池室内で電池が激しく動くと、瞬間的に接触状態が不安定となり電源電圧が低下し正常な動作ができなくなり電源が切れた状態になるおそれがある。特許文献１では、電池のガタつきを低減させるものが開示されている。
【０００３】
また、撮像装置本体が小型、薄型化したものが望まれることもあり、上記構成部品を、撮像装置本体を小型、薄型化をするように配置したものが求められている。例えば、外部記録媒体用スロットを鏡筒側へ寄せることにより撮像装置の横幅方向寸法をより小型化することが可能となる。
【先行技術文献】
【特許文献】
【０００４】
【特許文献１】特開２０１２−１２９１６０号公報
【発明の概要】
【発明が解決しようとする課題】
【０００５】
しかしながら、上述の方法では、小型化のために電池と外部記録媒体用スロットを近接させているため開口部の仕切りがなくなっている。また、外部記録媒体用スロットを鏡筒側へ寄せると、電池の挿入開口部と外部記録媒体挿入開口部の鏡筒側の端面が繋がり、電池の保持ができなくなり、ガタつきが大きくなり小型化には不利である。
【０００６】
本発明は、上記従来技術の問題を解決するためになされたものであり、小型化のため外部記録媒体、及び電池挿抜用の開口部が繋がり、電池の保持ができなくなった場合にも電池のガタつきを低減することができる撮像装置を提供することにある。
【課題を解決するための手段】
【０００７】
上記目的を達成するために、本発明は、着脱可能な電源供給手段（１６）を収納可能な電源収納手段（１５）と、着脱可能な電子データを保存する記憶メモリを収納するメモリスロット（１２）を有し、前記電源収納手段（１５）と前記メモリスロット（１２）は所定の空間（１７ｂ）を有して、厚み方向に隣接して配置されたものにおいて、前記電源収納手段（１５）は前記所定の空間（１７ｂ）に、前記電源供給手段（１６）に当接する電源片寄せ手段（１５ｄ）を先端に設けた突起形状（１５ｃ）を有することを特徴とする。
【発明の効果】
【０００８】
本発明によれば、撮像装置本体の小型、薄型化を実現するために、外部記録媒体と電池を厚み方向で隣接させた際に、電池挿入収納時のガタつきを低減し、電気導通が瞬間的に断絶しない電子機器を提供することができる。
【図面の簡単な説明】
【０００９】
【図１（ａ）】本発明の実施形態に係る分解図
【図１（ｂ）】本発明の実施形態に係る部品配置図
【図１（ｃ）】本発明の実施形態に係る部品配置図
【図１（ｄ）】本発明の実施形態に係る断面図
【図１（ｅ）】本発明の実施形態に係る底面斜視図
【図１（ｆ）】本発明の実施形態に係る底面図
【図１（ｇ）】本発明の実施形態に係る詳細図
【図１（ｈ）】本発明の実施形態に係る断面図
【図１（ｉ）】本発明の実施形態に係る詳細図
【図２】本発明の施形態に係る斜視図
【図３】本発明の実施形態に係る正面斜視図
【発明を実施するための形態】
【００１０】
以下に、本発明の好ましい実施の形態を、添付の図面に基づいて詳細に説明する。図１〜図３は、本発明の実施形態にかかわる厚み方向に隣接した、外部記録媒体及び電池を構成した撮像装置の図である。
【実施例１】
【００１１】
図３は、本発明の実施例における撮像装置であるデジタルカメラ正面斜視図である。図３において、３１は撮像装置本体であり、その前面部には被写体像を屈折、集光し不図示の撮像素子へ結像する撮影レンズ３２が設けられている。図３の状態では撮影レンズ３２は前記撮像装置本体３１内に沈胴している。なお、カメラの電源スイッチ３３をオンすると、撮影レンズ３２が前記撮像装置本体３１から突出して撮影が可能となる。
【００１２】
３４は回転操作可能なズームレバーである。前記ズームレバー３４は回動自在に前記撮像装置本体３１に具備されている。このズームレバー３４を回転させることにより、撮影レンズ３２を広角、望遠側へと移動させて所望な撮像範囲を決めることができる。そして、レリーズボタン３５を押下することにより、前述の撮像素子（ＣＣＤやＣＭＯＳセンサ等）により撮像され、前記撮像装置本体３１内に装填された半導体メモリ等の外部記録媒体に撮影画像が記録される。
【００１３】
３６は音声入力用のマイクである。マイク３６からの音声データは、画像データと合わせて前記記録媒体に記録することができる。また、前記撮像装置本体３１の上面には、操作音や音声再生用スピーカー３７が設けられており、記録媒体に保存されている音声を再生したり、操作手段の操作に応じて操作音などが再生できる。
【００１４】
前記撮像装置本体３１の背面には、不図示の表示部として液晶ディスプレイが設けられている。この表示部には、撮像する被写体の画像や撮像された画像が表示される。上述の撮像装置としての諸動作は、後述するメイン基板１１に構成された電気回路によって制御されている。
【００１５】
前記撮像装置本体３１の底面には、撮像装置３１に対して不図示の開閉可能な電池蓋が設けられている。この電池蓋を開けることによって、後述する電源を供給する電池１６を前記撮像装置本体３１内に装填することができる。また、後述する外部記録媒体用スロット１２が電池と隣接した位置に配置されており、前記外部記録媒体も電池蓋を開けることによって、前記撮像装置本体内に装填することができる。後述にて、この電池及び、外部記録媒体用スロット周囲の構成について説明する。
【００１６】
図１（ａ）は本発明の実施例における前記撮像装置本体の分解図であり、説明を分かり易くするため後述する鏡筒ユニット１０、及び前記外部記録装置用スロット１２の周囲の部品以外を不図示にした状態である。図１（ｂ）は撮像装置本体内部の部品配置図であり、図１（ａ）の部品を実際に配置した状態を正面から見た状態である。
【００１７】
１０は前記撮影レンズ３２を有し、前記撮影レンズ３２により生成された被写体像を光電変換して電子的な画像データを生成する不図示の撮像素子を保持する鏡筒ユニットである。
【００１８】
１１は本実施例の撮像装置の起動、撮像、鏡筒ユニットの伸長、画像データの外部記録媒体への保存等、撮像装置の諸動作を制御する電気回路が構成されたメイン基板である。１１ａは前記メイン基板１１に実装され、後述する電池１６の端子部と電気的に接触することで電源をメイン基板へ供給可能とする電源コネクタである。
【００１９】
１２は撮像したデータを記録可能な外部記録媒体を挿入可能な外部記録媒体用スロットである。前記電源コネクタ１１ａ、及び前記外部記録媒体用スロット１２はそれぞれ前記メイン基板１１に実装されている。
【００２０】
１３は画像データをＰＣ等の情報端末に転送するための通信用プラグを挿入可能とする第一の外部インターフェースコネクタである。
【００２１】
１４は画像データを外部表示装置へ表示するための通信用プラグを挿入可能とする第二の外部インターフェースコネクタである。
【００２２】
前記第一の外部インターフェースコネクタ１３、及び前記第二の外部インターフェースコネクタ１４はそれぞれ前記メイン基板１１上に実装されている。
【００２３】
図１（ｃ）は本発明の実施例における前記撮像装置本体内部の部品配置図であり、図１（ｂ）にさらに部品を追加した状態である。
【００２４】
同図において１６は電池であり、本実施例では充電することで、繰り返し使用可能なリチウム電池である。１５は前記電池１６を挿抜可能に収納する電池室であり、前記電源コネクタ１１ａが挿入され、前記電池１６と電気的な導通が可能な構造となっている。前記撮像装置本体３１を薄型化するためには、従来例のように外部記録媒体用スロット１２をメイン基板１１上に実装し、電池１６と厚み方向で重ねて、前記電池室１５の一部とすることで薄型化を実現することができる。
【００２５】
また、図１（ｂ）に示すように鏡筒ユニット１０の真横に外部記録媒体用スロット１２、更にその外側に第一、第二の外部インターフェースコネクタ１３、１４を並ぶ配置とすることで、前記電池１６とほぼ同じ範囲に収まる。そのため、撮像装置横幅方向を延ばさずに小型化を実現することができる。
【００２６】
図２は前記電池１６の斜視図である。Ｙは電池挿抜方向を示す座標軸であり、Ｘは座表軸Ｙに直交する座標軸である。前記電池１６は本実施例では、繰り返し使用可能なリチウム電池であり、一般的に充放電を繰り返し使用していくと、前記電池１６の中央部分の厚みが膨張することが知られている。１６ａは膨張範囲であり、１６ｂは前記座標Ｘ方向での非膨張部、１６ｃは前記座標軸Ｙ方向での非膨張部である。前記非膨張部１６ｂは、寸法が安定しているため、この部分にて前記電池１６を保持することが可能となっている。
【００２７】
図１（ｄ）は本実施例の実施例における断面図であり、図１（ｃ）で示しているＡ−Ａ断面である。１７ａは、前記電池室１５と前記電池１６との間に設けられた空間であり、１７ｂは前記電池１６と前記外部記録媒体用スロットとの間に設けられた空間である。前記空間１７ａ、及び前記空間１７ｂは前記電池１６の前記膨張範囲１６ａが挿抜及び収まった際の膨張範囲１６ａのための空間となっており、膨張量に対して十分な大きさが確保されている。
【００２８】
図１（ｅ）は本実施例の実施例における図１（ｃ）の底面から見た斜視図である。図１（ｆ）は本実施例の実施例における前記電池１６が前記電池室１５に挿入収納された状態の図１（ｃ）の底面図である。
【００２９】
図１（ｆ）において、１５ａは前記電池室１５の前記鏡筒ユニット１０側であり、前記外部記録媒体用スロット１２側の前記電池１６保持部である。１５ｂは前記保持部１５ａ以外のその他の前記電池１６保持部である。前記保持部１５ｂにおいては前記電池１６を十分に保持可能であるが、前記保持部１５ａについては、前記外部記録媒体用スロット１２の外部記録媒体の挿抜用の開口部と前記電池１６の挿抜用の開口部が一体となっており、十分な範囲を保持することができない。
【００３０】
図１（ｇ）は本実施例の実施例における詳細図であり、図１（ｆ）で示している詳細図Ｃである。
【００３１】
１５ｃは前記電池室１５に設けられた弾性変形可能な突起形状であり、１５ｄは前記１５ｃの先端に設けられた凸形状である。前記突起形状１５ｃ及び前記凸形状１５ｄは挿入収納された前記電池１６と前記外部記録媒体用スロット１２との空間に構成されており、この状態にて、前記凸形状１５ｄが前記電池１６に当接し、前記電池１６を当接面とは反対側の図中上方向へ押し上げている。
【００３２】
また、前記突起形状１５ｃ及び前記凸形状１５ｄは前記膨張時の空間１７ｂに構成されているが、弾性変形可能なため、前記電池１６を挿抜可能となっている。そのため、前記保持部１５ａでの前記電池１６の保持が不十分であっても、前記凸形状１５ｄが電池１６に当接し、ガタつきを抑えているため、撮像装置本体に外部からの衝撃が加わった際でもガタつきが低減され電気的導通を確保することができる。
【００３３】
図１（ｈ）は本実施例の実施例の断面図であり、前記電池１６が前記電池室１５に挿入収納された状態で、図１（ｆ）のＢ−Ｂ断面を示している。図１（ｉ）は本実施例の実施例の詳細図であり、図１（ｈ）のＤ部を示している。
【００３４】
図１（ｉ）において前記凸形状１５ｄが前記電池１６の前記軸Ｙ方向の非膨張部１６ｃと当接している。そのため、前記膨張部１６ａが膨張していても、前記電池１６を挿入する際には、前記突起形状１５ｃは弾性変形するため挿入可能であり、前記電池１６挿入状態には寸法が安定している前記非膨張部１６ｃを保持するため、確実に前記電池１６を保持可能となっている。なお、本実施例では、特に前記非膨張部１６ｃを受ける構造としているが、１５ｃ、１５ｄは弾性変形可能なため、前記電池１６の保持に影響のない範囲であれば、前記膨張範囲１６ａを受ける構造であってもよい。
【００３５】
以上、本発明の好ましい実施形態について説明したが、本発明はこれらの実施形態に限定されず、その要旨の範囲内で種々の変形及び変更が可能である。
【符号の説明】
【００３６】
１０  鏡筒ユニット
１１  メイン基板
１１ａ  電源コネクタ
１２  外部記録媒体用スロット
１３  第一の外部インターフェースコネクタ
１４  第二の外部インターフェースコネクタ
１５  電池室
１５ａ  保持部
１５ｂ  保持部       
１５ｃ  突起形状
１５ｄ  凸形状
１６  電池
１６ａ  膨張範囲
１６ｂ  非膨張部
１６ｃ  非膨張部
１７ａ  空間
１７ｂ  空間
３１  カメラ本体
３２  撮影レンズ
３３  電源スイッチ
３４  ズームレバー
３５  レリーズボタン
３６  マイク
３７  スピーカー
Ｘ  電池挿抜方向に直交する軸
Ｙ  電池挿抜方向の軸
【図１（ａ）】
2015184504.tif 000003
【図１（ｂ）】
2015184504.tif 000004
【図１（ｃ）】
2015184504.tif 000005
【図１（ｄ）】
2015184504.tif 000006
【図１（ｅ）】
2015184504.tif 000007
【図１（ｆ）】
2015184504.tif 000008
【図１（ｇ）】
2015184504.tif 000009
【図１（ｈ）】
2015184504.tif 000010
【図１（ｉ）】
2015184504.tif 000011
【図２】
2015184504.tif 000012
【図３】
2015184504.tif 000013